(57)【要約】      （修正有）【課題】電力の消費を減少可能であり、利用が極めて便利であり、ゴミを投入するための開口が大きくなるタッチ式ゴミ箱を提供する。【解決手段】上面に投入口１１が設けられている本体１と、本体１の底部に設けられる回路板２と、受けている圧力の変化を電気抵抗の変化に変換して回路板２に伝送する少なくとも一つの検知装置３と、検知装置３に接触し、押圧されており、又は踏み込まれているときに、検知装置３に圧力の変化が生じるタッチ部４とを備える。さらに、床面に近接する第１位置と床面から遠ざかった第２位置の間に移動可能である昇降具５と、回路板２の信号に制御されて昇降具５の昇降を駆動する駆動装置６と、回路板２と駆動装置６とに電気エネルギーを提供する電源７と、投入口１１の外部に設けられ、その一端が昇降具５の一端と連接するカバー８と、を含む。【選択図】図４
0003182316.tif 000002
【実用新案登録請求の範囲】
【請求項１】
上面に投入口が設けられている本体と、
前記本体の底部に設けられる回路板と、
受けている圧力の変化を電気抵抗の変化に変換して前記回路板に伝送する少なくとも一つの検知装置と、
前記検知装置に接触し、押圧されており、又は踏み込まれているときに、前記検知装置に圧力の変化が生じるタッチ部と、
床面に近接する第１位置と床面から遠ざかった第２位置の間に移動可能である昇降具と、
前記回路板の信号に制御されて前記昇降具の昇降を駆動する駆動装置と、
前記回路板と前記駆動装置とに電気エネルギーを提供する電源と、
前記投入口の外部に設けられ、その一端が前記昇降具の一端と連接するカバーと、を含み、
前記昇降具が前記第１位置に位置しているときには、前記カバーが前記投入口をカバーして前記投入口が外部と連通せず、前記昇降具が前記第２位置に位置しているときには、前記カバーが前記昇降具と連接する一端を中心として前記本体に対して旋回して、前記投入口が外部と連通することを特徴とするタッチ式ゴミ箱。
【請求項２】
前記本体には、互いに仕切られる、第１収容空間と、第２収容空間と、が設けられ、前記第１収容空間が前記投入口と連通し、前記回路板、前記昇降具、前記駆動装置及び前記電源が前記第２収容空間に位置することを特徴とする、請求項１に記載のタッチ式ゴミ箱。
【請求項３】
前記検知装置は前記本体の内部に固定され、前記本体の一側面のその底面に近接する箇所では、開口が設けられ、前記タッチ部の一端は、前記開口を挿通して前記検知装置に接触することを特徴とする、請求項１に記載のタッチ式ゴミ箱。
【請求項４】
前記タッチ部は、前記開口と前記検知装置とに脱着可能に挿入されていることを特徴とする、請求項３に記載のタッチ式ゴミ箱。
【請求項５】
複数の検知装置と、これらの前記検知装置にそれぞれ対応する複数のタッチ部と、を有し、前記本体は複数の開口を有し、これらの前記開口により、これらの前記検知装置とこれらの前記タッチ部とは、前記本体の少なくとも一面にそれぞれ設けられ可能であることを特徴とする、請求項３に記載のタッチ式ゴミ箱。
【請求項６】
前記検知装置と前記タッチ部とは、前記本体の外部の壁面に設けられることを特徴とする、請求項１に記載のタッチ式ゴミ箱。
【請求項７】
前記検知装置と前記タッチ部とは、前記本体の外部の床面に設けられることを特徴とする、請求項１に記載のタッチ式ゴミ箱。
【請求項８】
前記駆動装置は、モータと、減速機構と、揺動アームと、を含み、前記揺動アームと前記減速機構とは回動可能に連接されており、前記揺動アームの前記減速機構と連接しない一端が前記昇降具と連接し、前記揺動アームは、前記モータと前記減速機構とに駆動されて揺動可能であり、これにより、前記昇降具は前記第１位置と前記第２位置の間に移動可能であることを特徴とする、請求項１に記載のタッチ式ゴミ箱。
【請求項９】
前記電源は電池ケースであることを特徴とする、請求項１に記載のタッチ式ゴミ箱。
【考案の詳細な説明】
【技術分野】
【０００１】
本考案は、ゴミ箱に関し、特に、タッチして容易に開け可能なタッチ式ゴミ箱に関するものである。
【背景技術】
【０００２】
従来のゴミ箱は、その開口にカバーがカバーされており、これにより、ゴミ箱の内部にあるゴミによる臭いなどの外部への風に乗って広がることを防止可能である。しかし、カバーと箱本体がそれぞれ独立なものであるため、ゴミ箱にゴミを投入する前に、カバーを開けることが必要であるため、極めて面倒である。このため、カバーを開け可能なゴミ箱が開発されて市販している。なお、このようなゴミ箱の開け方式は複数あり、足踏み式のゴミ箱がよく見られるものであり、例えば特許文献１〜４などが提案された。このようなゴミ箱は、床面に近接する箇所でペダルが設けられ、レバーやそれに類似するものにより、前記ペダルとカバーが連接され、テコ原理により、前記ペダルが踏み込まれているときには、前記カバーが駆動されて開け、なお、前記ペダルが踏み込まれていないときには、自重により前記カバーが落下してゴミ箱の開口をカバーする。しかし、このようなゴミ箱によれば、体積がより大きくて重量がより重い前記カバーを開けるために、前記ペダルを踏み込む力が大きい。このように、女性や体不自由な方にとって利用が極めて不便である。一方、レバー構造の影響により、ペダルを一定の位置に設けることが必要であるため、利用の状況によってペダルの設置箇所を自由に変更できない。
【０００３】
また、カバーを自動的に開け可能な感応式ゴミ箱が提案され、例えば特許文献５〜１２などが提案された。このようなゴミ箱は、赤外線又は静電気センサーが設けられており、人間や品物がセンサーに近接しているときには、カバーが自動的に開けられる。しかし、このようなゴミ箱によれば、センサー及び作動機構などがカバーの近傍に設けられるため、ゴミを投入するための開口が小さくなり、そしてゴミ箱に通電することが必要であるため、電力の消費が多く、何れかのものがセンサーに近接すると、カバーが自動的に開けられるため、誤判の可能性があり、例えばユーザがゴミを投入せずにゴミ箱の近傍に通過するだけで、カバーが自動的に開けられる可能性がある。
【先行技術文献】
【特許文献】
【０００４】
【特許文献１】台湾特許第Ｍ２６５３６３号公報
【特許文献２】台湾特許第Ｍ３１２５１７号公報
【特許文献３】米国特許第６，０１０，０２４号公報
【特許文献４】米国特許第６，８８３，６７６号公報
【特許文献５】台湾特許第Ｉ３５２０５４号公報
【特許文献６】台湾特許第Ｍ３１６８７９号公報
【特許文献７】台湾特許第２０１１０３８４２号公報
【特許文献８】米国特許第６，７７４，５８６号公報
【特許文献９】米国特許第６，８１２，６５５号公報
【特許文献１０】米国特許第７，７１４，５２７号公報
【特許文献１１】米国特許第７，７５０，５９１号公報
【特許文献１２】米国特許第７，９１１，１６９号公報
【考案の概要】
【考案が解決しようとする課題】
【０００５】
本考案の主な目的は、電力の消費を減少可能であり、利用が極めて便利であり、ゴミを投入するための開口が大きくなるタッチ式ゴミ箱を提供することにある。
【課題を解決するための手段】
【０００６】
本考案のタッチ式ゴミ箱によると、
その上面に投入口が設けられている本体と、本体の底部に設けられる回路板と、受けている圧力の変化を電気抵抗の変化に変換して回路板に伝送する少なくとも一つの検知装置と、検知装置に接触し、押圧されており、又は踏み込まれているときに、検知装置に圧力の変化が生じるタッチ部と、床面に近接する第１位置と床面から遠ざかった第２位置の間に移動可能である昇降具と、回路板の信号に制御されて昇降具の昇降を駆動する駆動装置と、回路板と駆動装置とに電気エネルギーを提供する電源と、投入口の外部に設けられ、その一端が昇降具の一端と連接するカバーと、を含み、
昇降具が第１位置に位置しているときには、カバーが投入口をカバーして投入口が外部と連通せず、昇降具が第２位置に位置しているときには、カバーが昇降具と連接する一端を中心として本体に対して旋回して、投入口が外部と連通することを特徴とする。
【０００７】
本考案のタッチ式ゴミ箱によると、本体には、互いに仕切られる、第１収容空間と、第２収容空間と、が設けられ、第１収容空間が投入口と連通し、回路板、昇降具、駆動装置及び電源が第２収容空間に位置することを特徴とする。
【０００８】
本考案のタッチ式ゴミ箱によると、検知装置は本体の内部に固定され、本体の一側面のその底面に近接する箇所では、開口が設けられ、タッチ部の一端は、開口を挿通して検知装置に接触することを特徴とする。
【０００９】
本考案のタッチ式ゴミ箱によると、タッチ部は、開口と検知装置とに脱着可能に挿入されていることを特徴とする。
【００１０】
本考案のタッチ式ゴミ箱によると、複数の検知装置と、これらの検知装置にそれぞれ対応する複数のタッチ部と、を有し、本体は複数の開口を有し、これらの開口により、これらの検知装置とこれらのタッチ部とは、本体の少なくとも一面にそれぞれ設けられ可能であることを特徴とする。
【００１１】
本考案のタッチ式ゴミ箱によると、検知装置とタッチ部とは、本体の外部の壁面に設けられることを特徴とする。
【００１２】
本考案のタッチ式ゴミ箱によると、検知装置とタッチ部とは、本体の外部の床面に設けられることを特徴とする。
【００１３】
本考案のタッチ式ゴミ箱によると、駆動装置は、モータと、減速機構と、揺動アームと、を含み、揺動アームと減速機構とは回動可能に連接されており、揺動アームの減速機構と連接しない一端が昇降具と連接し、揺動アームは、モータと減速機構とに駆動されて揺動可能であり、これにより、昇降具は第１位置と第２位置の間に移動可能であることを特徴とする。
【００１４】
本考案のタッチ式ゴミ箱によると、電源は電池ケースであることを特徴とする。
【考案の効果】
【００１５】
本考案のタッチ式ゴミ箱によれば、次のような効果がある。
（１）従来の足踏み式ゴミ箱に類似する操作方式を有するため、利用が極めて便利であり、ペダルに一度に踏み込むと、カバーがより長い時間に開けられ可能であり、従来のものようにペダルを持続に踏み込むことが必要ない。
【００１６】
（２）電気抵抗式感応が極めて鋭敏であるため、ユーザの踏込み力を減少可能であり、より重いカバーであっても、容易に開け可能である。
【００１７】
（３）従来の感応式ゴミ箱のようにセンサー及び制御機構を設ける必要がないため、ゴミを投入するための開口の大きさを増加可能である。
【００１８】
（４）従来の感応式ゴミ箱のように持続に通電することが必要せず、タッチ部が踏み込まれており、又はタッチされているときに通電するため、電力の消費を減少可能である。
【図面の簡単な説明】
【００１９】
【図１】本考案の実施例１を示す斜視図である。
【図２】本考案の実施例１を示す分解斜視図である。
【図３】本考案の実施例１を示す断面図である。
【図４】本考案の実施例１の使用状態を示す断面図である。
【図５】本考案の実施例１の内部を示す模式図である。
【図６】本考案の実施例２を示す模式図である。
【図７】本考案の実施例３を示す模式図である。
【図８】本考案の実施例４を示す模式図である。
【考案を実施するための形態】
【００２０】
以下、本考案の実施の形態を図面に基づいて説明する。
図１乃至図５を参照する。図１は本考案の実施例１を示す斜視図であり、図２は本考案の実施例１を示す分解斜視図であり、図３は本考案の実施例１を示す断面図であり、図４は本考案の実施例１の使用状態を示す断面図であり、図５は本考案の実施例１の内部を示す模式図である。本実施例のタッチ式ゴミ箱は、本体１と、回路板２と、検知装置３と、タッチ部４と、昇降具５と、駆動装置６と、電源７と、カバー８と、を含む。
【００２１】
本体１は、その上面に投入口１１が設けられている。本体１の一側面のその底面に近接する箇所では、開口１２が設けられる。本体１には、互いに仕切られる、第１収容空間１３と、第２収容空間１４と、が設けられる。第１収容空間１３は投入口１１と連通する。回路板２、昇降具５、駆動装置６及び電源７は第２収容空間１４に位置する。
【００２２】
回路板２は本体１の底部に設けられる。検知装置３は、受けている圧力の変化を電気抵抗の変化に変換して回路板２に伝送する。タッチ部４は、検知装置３に接触し、押圧されており、又は踏み込まれているときに、検知装置３に圧力の変化が生じる。本実施例では、検知装置３は本体１の内部に固定され、タッチ部４は、ペダルであり、開口１２に脱着可能に挿入されており、開口１２を挿通して検知装置３に接触する。このように、ユーザは本体１の外部でタッチ部４を踏み込むことが可能である。本考案の別の実施例では、複数の検知装置３と、これらの検知装置３にそれぞれ対応する複数のタッチ部４と、を有し、本体１は複数の開口１２を有し、これらの開口１２により、これらの検知装置３とこれらのタッチ部４とは、本体１の少なくとも一面にそれぞれ設けられ可能である。
【００２３】
昇降具５は、床面に近接する第１位置と床面から遠ざかった第２位置の間に移動可能であり、ロッドであってもよい。
【００２４】
駆動装置６は、モータ６１と、減速機構６２と、揺動アーム６３と、を含む。モータ６１は回路板２の制御信号に制御される。揺動アーム６３と減速機構６２とは回動可能に連接されており、揺動アーム６３の減速機構６２と連接しない一端が昇降具５と連接する。揺動アーム６３は、モータ６１と減速機構６２とに駆動されて揺動可能である。これにより、昇降具５は第１位置と第２位置の間に移動可能である。電源７は、回路板２と駆動装置６とに電気エネルギーを提供する。電力の消費が少ないため、電源７は電池ケースであってもよい。
【００２５】
カバー８は、投入口１１の外部に位置し、その一端が昇降具５の揺動アーム６３と連接しない一端と連接する。カバー８と昇降具５は相対的に揺動可能である。昇降具５が前記第１位置に位置しているときには、カバー８が投入口１１をカバーして投入口１１が外部と連通せず、昇降具５が前記第２位置に位置しているときには、カバー８が昇降具５と連接する一端を中心として本体１に対して旋回して、投入口１１が外部と連通する。その構成及び作動原理が従来のものと同じであるため、説明を省略した。
【００２６】
図３を参照する。タッチ部４が踏み込まれていなく、又はタッチされていないときには、検知装置３の受ける圧力に変化がないため、その電気抵抗が変化しない。このように、検知装置３が信号を回路板２に伝送せず、昇降具５が前記第１位置に位置し、カバー８が閉状態にある。図４に示すように、タッチ部４が踏み込まれており、又はタッチされているときには、検知装置３の受ける圧力に変化があるため、その電気抵抗が変化する。このように、検知装置３が信号を回路板２に伝送して、回路板２が駆動装置６を駆動して、揺動アーム６３が上げられて、昇降具５が前記第２位置に位置し、カバー８が開状態にある。回路板２の制御により、カバー８の開け時間を延び可能であるため、タッチ部４を持続に踏み込むことが必要ない。カバー８の開け時間が終了したと、回路板２からの信号の伝送が停止されて、揺動アーム６３が降下して、昇降具５が前記第１位置に戻せ、カバー８が閉状態にある。
【００２７】
本考案の別の実施例では、検知装置３とタッチ部４とが本体１の外部の適宜な箇所に設けられてもよい。図６を参照する。図６は本考案の実施例２を示す模式図である。本体１に近傍に他の品物があって、タッチ部４を設ける場所がなく、又はタッチ部４を踏込む空間がない場合には、検知装置３とタッチ部４とが便利に踏込み可能な箇所に設けられ、タッチ部４が踏込まれており、又はタッチされているときには、検知装置３の電気抵抗が変化して、無線又は有線の方式により、検知装置３からの信号が回路板２に伝送されてカバー８を開ける。図７及び図８を参照する。図７は本考案の実施例３を示す模式図であり、図８は本考案の実施例４を示す模式図である。検知装置３とタッチ部４とは壁面に設けられてもよい。このように、ユーザは、手でタッチ部４を押圧し、又は足でタッチ部４を軽くタッチすることにより、カバーを開けることが可能である。そうすると、ペットや子供によりカバー８が誤作動されることを回避可能である。
【産業上の利用可能性】
【００２８】
本考案は、ゴミ箱に適用することができる。
【符号の説明】
【００２９】
１：本体、２：回路板、３：検知装置、４：タッチ部、５：昇降具、６：駆動装置、７：電源、８：カバー１１：投入口、１２：開口、１３：第１収容空間、１４：第２収容空間、６１：モータ、６２：減速機構、６３：揺動アーム。
【図１】
0003182316.tif 000003
【図２】
0003182316.tif 000004
【図３】
0003182316.tif 000005
【図４】
0003182316.tif 000006
【図５】
0003182316.tif 000007
【図６】
0003182316.tif 000008
【図７】
0003182316.tif 000009
【図８】
0003182316.tif 000010